(57)【要約】【課題】収納し易い効果を有し、全体の実用性及び便利性を向上できるドア柵の伸縮構造を提供すること。【解決手段】複数本の骨格を有するフレームと、骨格上の２本のフレームと平行に設けられ、伸縮スリーブアセンブリ及び引外し部材からなる伸縮機構とを含み、伸縮機構は伸縮スリーブアセンブリ内に可動バーが設けられ、引外し部材が伸縮スリーブアセンブリに結合され、かつ引外しボタン、係止具及び連動ユニットが設けられ、引外しボタンは連動ユニットに可動的に結合し、連動ユニットは係止具にさらに結合し、前記係止具は可動係止を形成するように前記伸縮スリーブアセンブリの可動バーに対応して相互に結合し、引外しボタンで係止具と可動バーとの間の係止／引外しを制御する。【選択図】図１
0003145552.tif 000002
【実用新案登録請求の範囲】
【請求項１】
複数本の骨格が設けられたフレームと、
伸縮スリーブアセンブリ及び引外し部材からなる伸縮機構とを具備し、
前記伸縮機構はフレームの相対向して互いに平行に設けられた２本の骨格上に設けられ、
前記伸縮スリーブアセンブリ内に可動バーが設けられ、
前記引外し部材は、前記伸縮スリーブアセンブリに結合され、かつ引外しボタン、係止具及び連動ユニットが設けられ、
前記引外しボタンは連動ユニットに可動的に結合し、
前記連動ユニットは、さらに係止具に結合して弾性的に連動可能であり、
前記係止具は、前記伸縮スリーブアセンブリの可動バーに対応して相互に結合することによって係止し、
かつ引外しボタンで係止具と可動バーとの間の係止／引外し状態を制御するように構成されていて、
前記フレーム上の伸縮機構が片方または両方に対応して伸縮可能なように構成したことを特徴とする、
ドア柵の伸縮構造。
【請求項２】
前記引外し部材の連動ユニットは、当接部材、連動部材、制御線及び少なくとも一つのばねを含み、前記当接部材と連動部材とはそれぞれ対応して当接し、前記制御線の一端が前記当接部材と連動部材に可動的に結合し、前記ばねが前記当接部材に対応して設けられるとともに前記引外し部材の引外しボタンに結合することによって、可動連結を生じることを特徴とする、請求項１に記載のドア柵の伸縮構造。
【請求項３】
前記連動ユニットの制御線の一端と前記引外し部材の係止具との間に、前記引外し部材の係止具に可動的に連結するための少なくとも一つの弾性素子がさらに設けられていることを特徴とする、請求項２に記載のドア柵の伸縮構造。
【請求項４】
前記引外し部材の係止具の一端は両斜面体状であり、前記伸縮スリーブアセンブリの可動バーには、これと対応して可動に係止するための複数の係合溝が設けられていることを特徴とする、請求項１に記載のドア柵の伸縮構造。
【請求項５】
前記引外し部材の係止具の一端は片斜面体状であり、前記伸縮スリーブアセンブリの可動バーには、片斜面溝のように設けられ斜面方向に対応して可動に係止するための複数の係合溝が設けられていることを特徴とする、請求項１に記載のドア柵の伸縮構造。
【請求項６】
前記伸縮機構は、さらに、前記伸縮機構の伸縮スリーブアセンブリ及び引外し部材を覆うためのケースを設けていることを特徴とする、請求項１に記載のドア柵の伸縮構造。
【請求項７】
前記伸縮スリーブアセンブリが伸縮範囲以上に移動して骨格の結合を分離することを防ぐために、前記伸縮機構の伸縮スリーブアセンブリ内にストッパがさらに設けられていることを特徴とする、請求項１に記載のドア柵の伸縮構造。
【請求項８】
前記ケースの各骨格の間に、骨格を連結するためのコーナ部が設けられていることを特徴とする、請求項１に記載のドア柵の伸縮構造。
【請求項９】
前記ケースは、その一方側の両端の骨格にストッパが設けられ、前記ケースの他方側の骨格にも上下のストッパが設けられ、前記ケースの上方のストッパにはグリップが設けられ、ストッパを壁面に当接するように押し付けて、前記ケースの上方のストッパにはスライダが設けられ、前記スライダにはばねが連結されることによって、ストッパを壁面に当接するように連動させることを特徴とする、請求項１に記載のドア柵の伸縮構造。
【考案の詳細な説明】
【技術分野】
【０００１】
本考案は、ドア柵の伸縮構造に係り、特に、複数本の骨格を連結してフレームを形成するドア柵であって、かつ、うちの少なくとも２本の対応して平行に設けられた骨格上に伸縮機構を設けており、該伸縮機構は、伸縮スリーブアセンブリ及び引外し部材から組み合わせられるデザインであることによって、スリーブアセンブリを可動的に伸縮でき、フレームの長さを弾性的に調整し、大きさの違いドアフレームや階段出入り口或いは壁と壁の間に設置できるような効果を達成し、ドアフレーム防護柵、或いは他の類似構造に適合できるドア柵の伸縮構造に関するものである。
【背景技術】
【０００２】
現在、殆どの室内の内装は大人の要求に応じて設けられ、子供が誕生してからも大半は子供の要求に応じた変更をしていない。そのため、幼児にとっての住まいの環境は、最も意外性を生じ易い場所となる。
そのため、多くの幼児は、転倒や転落により入院が必要なほどの負傷をする。さらに台所へ過って入り込んで火傷等をする。
以上のように多くの幼児は制御能力が弱いうえに、危険認知能力を持たず、しかも頭が体全体に占める割合が大きいためにバランス安定性が悪いために、現在の住まいの環境は幼児にとって多々危険にさらされる場所になっている。
【０００３】
一般に、幼児を安全に保護するといった考えの下で、幼児が活動する際に室内における台所や、浴室、階段口等の危険な場所に行かないようにするため、常に、ドアフレームや階段口等の場所にドア柵を設置することで、幼児が行くべきでない区間を隔離し、幼児が過て入って危険にさらされることを回避するとともに、ペットの禁止エリアとしても有効である。
従来の開発当初のドア柵は、鉄パイプ製で溶接によりフレームを固定していたが、作製コストが高く、大きさも固定され、使用自由度が欠けていた。
溶接式のドア柵の欠点を改善するために、組合式のドア柵が開発された。この組合式のドア柵は、複数のコーナ部及び棒体を予め作製し、これらのコーナ部及び棒体を組み合わせることにより、ドア柵のフレームを形成するようになっている。
組合式ドア柵は、モジュール化して部材を大量生産して、コストを低下できてたが、その組み立て、及び取り外しに工数がかかり、かつ、ドア柵のフレームの大きさを弾力的に調整できず、実際に使用する時の不便さがなお残っていた。
【０００４】
本考案は以上の点に鑑みて成されたもので、長年の経験に従い、専念な観察と研究をつづけることで本考案に想到に至った。
【考案の開示】
【考案が解決しようとする課題】
【０００５】
本考案の主な目的は、複数本の骨格を互いに連結してフレームを形成し、かつ、うちの少なくとも２本の対応して平行に設けられた骨格上に伸縮機構が設けられ、該伸縮機構は、伸縮スリーブアセンブリ及び引外し部材を設けた組合設計であることによって、該引外し部材に設けられた引外しボタンの押圧または引外しにより伸縮スリーブアセンブリを制御し、スリーブアセンブリを可動的に伸縮しフレームを弾性的に調整でき、大きさの違いドアフレームや階段出入り口或いは壁と壁の間に設置できるような効果を達成でき、全体の実用性及び便利性を向上できるドア柵の伸縮構造を提供することにある。
【０００６】
本考案の次の目的は、該伸縮機構の引外し部材に引外しボタン、連動ユニット及び係止具が設けられることによって、該連動ユニットで部材間の弾性連動を形成し、該引外し部材の設置位置の自由度をより向上させ、フレームを伸縮する操作上においてより便利となり、全体の実用性及び便利性を向上できるドア柵の伸縮構造を提供することにある。
【０００７】
本考案の更なる他の目的は、該伸縮機構の伸縮スリーブアセンブリ内に設けられた可動バーと該伸縮機構の引外し部材中の係止具との間は対応して相互配合するとともに、斜面のある設計を形成することによって、該引外し部材の引外しボタンを押さなくても、フレームを一方向に延伸させる効果を達成でき、伸縮機構の使用上においてより便利となり、全体の実用性及び便利性を向上できるドア柵の伸縮構造を提供することにある。
【０００８】
本考案の更なる他の目的は、複数本の骨格を互いに連結してフレームを形成し、かつ、うちの少なくとも２本の対応して平行に設けられた骨格上に伸縮機構が設けられ、該フレームの各骨格間に骨格を連結するためのコーナ部を増設して、さらに、ドア柵のフレームを折り畳むため、各骨格の結合部に折畳部が設けられるこよによって、収納し易い効果を有し、全体の実用性及び便利性を向上できるドア柵の伸縮構造を提供することにある。
【課題を解決するための手段】
【０００９】
前記目的を達成するために、本考案に係るドア柵の伸縮構造は、フレーム及び伸縮機構を含む。前記フレームは、複数本の骨格を設け、前記伸縮機構は、フレームの２本の対応して平行に設けられた骨格上に設けられ、前記伸縮機構は、伸縮スリーブアセンブリ及び引外し部材から組み合わせられ、前記伸縮スリーブアセンブリ内に可動バーが設けられ、前記引外し部材が前記伸縮スリーブアセンブリに結合され、かつ引外しボタン、係止具及び連動ユニットを設け、前記引外しボタンは連動ユニットに可動的に結合し、前記連動ユニットは係止具にさらに結合することで弾性連動を形成し、前記係止具は、可動係止を形成するように前記伸縮スリーブアセンブリの可動バーに対応して相互結合し、かつ引外しボタンで係止具と可動バーとの間の係止／引外し状態を制御することによって、フレーム上の伸縮機構は、片方または両方対応伸縮可能でドア柵の伸縮構造を形成する。
【考案を実施するための最良の形態】
【００１０】
以下図面を参照しながら本考案に係るドア柵の伸縮構造の実施例について詳しく説明する。
【００１１】
図１を参照して説明すると、本考案のドア柵の伸縮構造は、フレーム１０及び伸縮機構２０を含む。
該フレーム１０は、複数本の骨格１１を具備し、複数本の骨格１１をそれぞれ接続して構成される。
該伸縮機構２０は、該フレーム１０の相対向した２本の平行に設けられた骨格１１上に設けられる。該伸縮機構２０は、伸縮スリーブアセンブリ３０及び引外し部材４０の組み合わせにより構成される。
【００１２】
図２〜図４を参照して説明すると、該伸縮機構２０の伸縮スリーブアセンブリ３０内に可動バー３１が設けられる。
本実施例では、該伸縮スリーブアセンブリ３０は、外スリーブ３３及び内スリーブ３２を具備する。該内スリーブ３２が該外スリーブ３３内に嵌設され、該外スリーブ３３内にスライド移動可能に設けられる。
該可動バー３１は該内スリーブ３２の内部に結合される。
該可動バー３１上には可動係合するための複数の係合溝３１１が設けられる。
該外スリーブ３３及び内スリーブ３２上において、後述の引外し部材４０の係止具４３を挿通するため、該可動バー３１の係合溝３１１に対応するところに溝切り３３１、３２１が設けられている。
該伸縮スリーブアセンブリ３０の外スリーブ３３及び内スリーブ３２が伸縮範囲以上に移動してフレーム１０の結合を分離することを防ぐため、該伸縮スリーブアセンブリ３０内にストッパ３１２がさらに設けられる。
【００１３】
該引外し部材４０が該伸縮スリーブアセンブリ３０に結合され、かつ引外しボタン４１、係止具４３及び連動ユニット４２を設けている。
該引外しボタン４１は連動ユニット４２に可動的に結合する。
該連動ユニット４２はさらに係止具４３に結合することで弾性的に連動するように構成する。
該引外し部材４０の連動ユニット４２は、当接部材４２１、連動部材４２２、制御線４２３及び少なくとも一つのばね４２４を含む。
該当接部材４２１は連動部材４２２とそれぞれ対応して当接する。該制御線４２３の一端４２３ａは、該当接部材４２１と連動部材４２２との間に設けられるとともに、該当接部材４２１及び連動部材４２２に可動的に結合する。
該ばね４２４は、該引外しボタン４１の当接部材４２１に対応する一端に設けられ、かつ該引外し部材４０の引外しボタン４１に結合し、該引外し部材４０の引外しボタン４１の押圧により該当接部材４２１が押し付けられ、該当接部材４２１はさらに連動部材４２２を回動させ、該制御線４２３を連動させて可動させる。
該連動ユニット４２の制御線４２３の他端４２３ｂは、該引外し部材４０の係止具４３に連結するとともに、係止具４３との間に少なくとも一つの弾性素子４２５がさらに連結される。
本実施例では、該連動ユニット４２の制御線４２３と該引外し部材４０の係止具４３とが可動的に連結するため、該弾性素子４２５は、弾性復元のためのばねを採用している。
該引外し部材４０の係止具４３は、伸縮スリーブアセンブリ３０の可動バー３１内の係合溝３１１に対応して相互結合することによって可動的な係止関係を形成し、かつ該引外し部材４０の引外しボタン４１で係止具４３と可動バー３１との間の係止／引外し状態を制御する。
【００１４】
図３〜図４を参照して説明すると、本考案に係る伸縮機構２０は、使用する際に、該引外し部材４０の係止具４３と伸縮スリーブアセンブリ３０中の可動バー３１内の係合溝３１１との間に係止状態（図３）及び引外し状態(図４)を形成することによって、スリーブアセンブリ３０を可動的に伸縮できる。
該外スリーブ３３の該引外し部材４０の係止具４３との挿入する箇所には、二段に分けて設けられる。
うちの一段の外スリーブ３３ａは内スリーブ３２に固定して結合される。伸縮スリーブアセンブリ３０が伸縮する時に、該段の外スリーブ３３ａは、内部に可動バー３１が結合された内スリーブ３２とともに移動される。
該引外し部材４０の引外しボタン４１を押すと、該引外しボタン４１に結合するばね４２４が圧縮され該当接部材４２１に隣接する一側のケース内壁に当接されるとともに、該引外しボタン４１が該連動ユニット４２の当接部材４２１に当接することによって当接部材４２１が移動される。
そして、該当接部材４２１の一端４２１ａにより該連動ユニット４２の連動部材４２２の一端４２２ａが押し付けられ、該連動部材４２２が回動するようになり、かつ回動とともに、一端４２３ａが該連動部材４２２に結合された制御線４２３を連動することで、制御線４２３の他端４２３ｂが該引外し部材４０の係止具４３を連動して、該係止具４３の一端４３２を伸縮スリーブアセンブリ３０の可動バー３１の係合溝３１１内から退出し、引外し状態を形成するとともに、該係止具４３の一辺４３１を該制御線４２３の他端４２３ｂが挿入して結合した弾性素子４２５（ばね）までに圧縮させる。
引外し状態において、伸縮スリーブアセンブリ３０内の可動バー３１に結合する内スリーブ３２は、外スリーブ３３に伸出入できる。
引外しボタン４１の押し状態を解除すると、該ばね４２４及び弾性素子４２５の付勢力により、さらに、弾性素子４２５の当接で、該引外し部材４０の係止具４３の一端４３２を連動して伸縮スリーブアセンブリ３０の可動バー３１の係合溝３１１内に元のように挿入し、係止状態を形成する。
係止状態であると、該引外し部材４０の係止具４３の一端４３２が両斜面体状に設けられるため（図５に示すように）、該伸縮スリーブアセンブリ３０の可動バー３１に対応して配合する係合溝３１１内に差し込まれ、該伸縮スリーブアセンブリ３０の内スリーブ３２と外スリーブ３３とを位置決めさせて、可動的に伸縮できないようになる。
【００１５】
また、係止状態において、該引外し部材４０の係止具４３の一端４３２が片斜面体状に設けられてもよい（図２〜図４に示すように）。同時に、伸縮スリーブアセンブリ３０の可動バー３１上の各係合溝３１１は、係止具４３の一端４３２が片斜面体に対応して片斜面溝のように設けられ、該係止具４３が斜面に沿って該可動バー３１の係合溝３１１内から滑り出すことができるため、斜面方向に対応する可動係止を形成でき、該伸縮スリーブアセンブリ３０内の可動バー３１に結合する内スリーブ３２、及び該内スリーブ３２の外に固定に結合された外スリーブ３３ａが、斜面の対向方向へ移動できるようになり、フレーム１０を片方移動可能な効果を達成する。
引外し状態であると、該伸縮スリーブアセンブリ３０の内スリーブ３２及び外スリーブ３３も、両方対応して伸縮できる。その連動関係については既述した通りであるため、その説明を省略する。
【００１６】
図６〜図７を参照して説明すると、本考案の引外し部材４０の引外しボタン４１を異なる位置に設けても良いことを示している。
引外しボタン４１がフレーム１０の正面に位置する時に（図７に示すように）、該引外し部材４０の引外しボタン４１と該連動ユニット４２の当接部材４２１は、一体に結合されてもよい（図５に示すように）。
その連動関係についても上記したように同じであるため説明を省略する。
本例にあっては、伸縮機構２０を操作する時に、便利性がさらによくなる。
【００１７】
また、該伸縮機構２０は、さらに、該伸縮機構２０の伸縮スリーブアセンブリ３０及び引外し部材４０を覆うため、ケース２１を設けてもよい（図２及び図５を参照する）。
該ケース２１は、該伸縮スリーブアセンブリ３０または引外し部材４０を一部または全部覆うデザインを採用できる。
本実施例では、該ケース２１は、該伸縮スリーブアセンブリ３０を一部覆い、該ケース２１内に該伸縮スリーブアセンブリ３０の内スリーブ３２及び外スリーブ３３が挿入するための経路が設けられ、内スリーブ３２及び外スリーブ３３の結合部を覆い、並びに、該引外し部材４０の係止具４３、該弾性素子４２５及び制御線４２３の係止具４３に結合する一端４２３ｂをケース２１内に覆う。
【００１８】
図１〜図７を参照して説明すると、以上のように、本考案に係るドア柵の伸縮構造は、複数本の骨格１１からなるドアフレーム１０であり、そのうちの少なくとも２本の対応して平行に設けられた骨格１１上に伸縮機構２０を設けたものである。該伸縮機構２０は、伸縮スリーブアセンブリ３０及び引外し部材４０からなる構成である。該引外し部材は引外しボタン４１、連動ユニット４２及び係止具４３を設けることによって、該引外しボタン４１の押圧または引外しにより伸縮スリーブアセンブリ３０を制御し、スリーブアセンブリ３０を可動的に伸縮しフレーム１０を弾性的に調整できて、大きさの異なるドアフレームや階段出入り口、或いは壁と壁の間に設置できるようになる。
さらに、引外しボタン４１と係止具４３との間に部材間の弾性連動を形成するための連動ユニット４２を設けることによって、該引外しボタン４１の押圧または引外しにより、引外し／係止の位置を変えるように該係止具４３を連動し、該スリーブアセンブリ３０が対応伸縮可能かどうかを制御することができる。
該連動ユニット４２により該引外しボタン４１の設置の自由度をより向上できて、操作上の便利性が更によくなる。
また、該係止具４３の一端４３２が片斜面体状に設けられ、該可動バー３１内の各係合溝３１１が片斜面溝のように対応して設けれることによって、対応する斜面方向での可動係止を形成し、片方でフレーム１０を移動できるといった効果を有する。
さらに、該係止具４３の一端４３２が両斜面体状に設けられてもよい。
該引外しボタン４１の押圧または引外しにより、両方対応してフレーム１０を移動する効果を達成できる。
よって、片方または両方で対応して伸縮可能なドア柵の伸縮構造を形成し、全体の実用性及び便利性を向上できることを特徴とする。
【００１９】
図６及び図７を参照して説明すると、本考案の応用例として、実際に実施する時に、該フレーム１０の各骨格１１間に両骨格１１間を連結するためのコーナ部７０がさらに設けられてもよい。
また、該フレーム１０は、その一側の両端の骨格１１にストッパ８０がさらに連結され、該フレーム１０の他側の骨格１１に上下のストッパ８０がさらに設けられ、該フレームの上方のストッパ８０にグリップ８１がさらに設けられる。
ストッパ８０が壁面に当接するように押し付けて、該フレーム１０の下方のストッパ８０にさらにスライダ８２が設けられる。
該スライダ８２にばね８３が連結され、ストッパ８０を連動して壁面に摺接し、コーナ部７０と骨格１１及びストッパ８０によりドア柵構造を組み合わせ、該フレーム１０上に折畳部６０がさらに設けられる。
さらにコーナ部７０の動きに合せて、骨格１１を折り畳むことができる。そのため、ドア柵の体積を減少して、該ドア柵のフレーム１０を折り畳み易くなって、収納し易いといった効果を有し、全体として実用性及び便利性を向上できる。
【図面の簡単な説明】
【００２０】
【図１】本考案による第１実施例の斜視外観図である。
【図２】本考案による第１実施例の伸縮構造の一部素子分解図である。
【図３】本考案による第１実施例の引外し部材の係止状態を部分示す図である。
【図４】本考案による第１実施例の引外し部材の引外し状態を部分示す図である。
【図５】本考案による第２実施例の伸縮構造の一部素子分解図である。
【図６】本考案による第２実施例のコーナ部及びストッパを部分示す図である。
【図７】本考案による第２実施例の使用時を示す外観図である。
【符号の説明】
【００２１】
１０・・・・・フレーム
１１・・・・・骨格
２０・・・・・伸縮構造
２１・・・・・ケース
３０・・・・・伸縮スリーブアセンブリ
３１・・・・・可動バー
３２・・・・・内スリーブ
３３、３３ａ・・・外スリーブ
３１１・・・・係合溝
３１２・・・・ストッパ
３２１，３３１・・・溝切り
４０・・・・・引外し部材
４１・・・・・引外しボタン
４３・・・・・係止具
４３１・・・・係止具の一辺
４３２・・・・係止具の一端
４２・・・・・連動ユニット
４２１・・・・当接部材
４２２・・・・連動部材
４２１ａ、４２２ａ・・・連動部材の一端
４２３・・・・制御線
４２４・・・・ばね
４２３ａ・・・ばねの一端
４２３ｂ・・・ばねの他端
４２５・・・・弾性素子
６０・・・・・折畳部
７０・・・・・コーナ部
８０・・・・・ストッパ
８１・・・・・グリップ
８２・・・・・スライダ
８３・・・・・ばね
【図１】
0003145552.tif 000003
【図２】
0003145552.tif 000004
【図３】
0003145552.tif 000005
【図４】
0003145552.tif 000006
【図５】
0003145552.tif 000007
【図６】
0003145552.tif 000008
【図７】
0003145552.tif 000009